(57)【特許請求の範囲】
【請求項１】
アッパーに形成された紐折り返し部と、該紐折り返し部にて折り返される靴紐とを備える靴において、
前記アッパーと前記靴紐とを結合させる結合部が複数で一組となって前記紐折り返し部が形成されており、
複数で一組の前記結合部は、ハの字形に配置され、前記靴紐の折り返し角度を緩やかにする方向に傾斜した、互いに離間した複数の紐通しで形成されており、
前記紐通しは、前記アッパーに縫い込みにより取り付けられて管状の紐ガイドを形成する、ループ状かつ非金属製の帯状部材からなるものであって、前記靴紐と線接触する幅を有していることを特徴とする靴。
【請求項２】
複数で一組の前記結合部は、互いに寄り添う方向に傾斜していることを特徴とする請求項１に記載の靴。
【請求項３】
前記結合部は、前記靴紐の折り返し角度を緩やかにする紐ガイドを備えていることを特徴とする請求項１に記載の靴。
【請求項４】
前記靴紐が、前記紐折り返し部を形成する複数の前記紐通しに順次通され、さらに、別の紐折り返し部を形成する複数の前記紐通しに順次通されていることを特徴とする請求項１から３のいずれか一項に記載の靴。
【発明の詳細な説明】
【技術分野】
【０００１】
本発明は、靴に関する。さらに詳述すると、本発明は、靴紐付き靴の構造の改良に関する。
【背景技術】
【０００２】
靴、特に山岳用の靴においては、足へのフィット感を高めるため、靴紐を折り返す箇所が多く配置されていることがある（例えば特許文献１参照）。
【先行技術文献】
【特許文献】
【０００３】
【特許文献１】特開２００２−２８２００５号公報
【発明の概要】
【発明が解決しようとする課題】
【０００４】
しかしながら、このような靴は、高いフィット感が得られる反面、靴紐の締め上げ動作あるいは緩める動作が行いづらいものであることが通常である。
【０００５】
そこで、本発明は、靴先まで靴紐が締めやすく、尚かつ締め付けた靴紐を緩めやすい靴を提供することを目的とする。
【課題を解決するための手段】
【０００６】
かかる課題を解決するべく本発明者は種々の検討を行った。従来の山岳用靴のように紐通し（アッパーと靴紐との結合部分であって、靴紐を折り返す箇所）が多く配置されていると、当該紐通しへの靴紐の通し方を単に変えるだけでは、フィット感を損なうことなく靴紐の締めやすさ、緩めやすさを向上させることは困難である。また、単純に紐通しの数を減らすこととすれば靴紐の締めやすさ、緩めやすさは向上するが、それでは高いフィット感が得られなくなる。これらの点をふまえつつ、靴紐を締めたり緩めたりする際の摩擦抵抗に着目して種々の検討を重ねた本発明者は、靴紐の通し方と紐通しの角度を適切にすることで、摩擦抵抗が小さくなり、靴先まで靴紐が締めやすく、脱ぐときも緩めやすくすることが可能となることを知見するに至った。
【０００７】
本発明はかかる知見に基づくものであり、アッパーに形成された紐折り返し部と、該紐折り返し部にて折り返される靴紐とを備える靴において、アッパーと靴紐とを結合させる結合部が複数一組となって紐折り返し部が形成されていることを特徴としている。
【０００８】
一般に、従来の靴では、左右に繰り返し配置された単一の紐通しで靴紐を順次折り返す構造となっている。この場合は、いわばアッパーと靴紐とを結合させる結合部が単一ということであり、靴紐は、当該単一の結合部においてＶ字形やチャネル形といった形となって折り返し角度が急になることから、靴紐を締めたり緩めたりする際の摩擦抵抗が大きくなりやすい。これに対し、本発明にかかる靴においては、アッパーと靴紐とを結合させる結合部が複数で一組となって紐折り返し部が形成されていることから、当該紐折り返し部が幅広であり、尚かつ靴全体として紐折り返し箇所が少なくなる。このため、靴紐の折り返し角度が緩やかとなり、そのぶん、靴紐を締めたり緩めたりする際の摩擦抵抗が小さくなり、靴紐が締めやすく、尚かつ締め付けた靴紐が緩めやすくなる。
【０００９】
しかも、本発明にかかる靴においては、アッパーと靴紐とを結合させる結合部の数を従来の靴より減らす必要はない。このため、靴を履いた際の高いフィット感を損なうことがない。
【００１０】
かかる靴において、結合部は、互いに離間した複数の紐通しで形成されていることが好ましい。
【００１１】
紐通しは、例えば、アッパーに取り付けられて環状または管状の紐ガイドを形成するものである。
【００１２】
また、かかる靴において、結合部は、靴紐の折り返し角度を緩やかにする方向に傾斜していることが好ましい。
【００１３】
さらに、複数で一組の結合部が、互いに寄り添う方向に傾斜していることも好ましい。
【００１４】
また、複数で一組の結合部が、ハの字形に配置されていることも好ましい。
【００１５】
また、結合部は、靴紐の折り返し角度を緩やかにする紐ガイドを備えていることも好ましい。
【００１６】
さらには、靴紐が、紐折り返し部を形成する複数の紐通しに順次通され、さらに、別の紐折り返し部を形成する複数の紐通しに順次通されていることが好ましい。
【発明の効果】
【００１７】
本発明によれば、靴先まで靴紐が締めやすく、尚かつ締め付けた靴紐を緩めやすくすることができる。
【図面の簡単な説明】
【００１８】
【図１】本発明を適用した靴の一例を示す全体図である。
【図２】図１に示した靴のアッパー部分の拡大図である。
【図３】本発明の他の実施形態における紐通し（結合部）の拡大図である。
【図４】従来の靴を比較例として示す参考図である。
【発明を実施するための形態】
【００１９】
以下、本発明の構成を図面に示す実施の形態の一例に基づいて詳細に説明する。
【００２０】
図１〜図２に本発明にかかる靴の一実施形態を示す。以下では、一例として山岳用や運動用に適した靴を例示して説明する。
【００２１】
靴１は、アッパー２に形成された紐折り返し部３と、該紐折り返し部３にて折り返される靴紐４とを備えており、さらに、本実施形態の靴１は、紐通し５１が付いたタン５を備えている。
【００２２】
アッパー２には、靴紐４を通すための紐通し３１が設けられている。紐通し３１の具体例が特に限定されることはないが、例えば本実施形態では、帯状部材（テープ）を途中で折り返し、その両端をアッパー２に縫い込む等して取り付け、環状ないしは管状の紐通し３１を設けて靴紐４をガイドしている。該紐通し３１は、アッパー２と靴紐４とを結合させる結合部を形成している。
【００２３】
ここで、本実施形態では、紐通し（結合部）３１の互いに離間した２つを一組とし、これら一組の紐通し３１で一つの紐折り返し部３を形成している。この場合、当該紐折り返し部３は、従来のものよりも幅広、つまり、一つの紐折り返し部３の靴前後方向における幅が従来よりも広いものとなっており、幅広となっていることに応じて靴全体としての紐折り返し箇所が少なく、尚かつ結合部が前後方向に分散した形となっている（図１、図４等参照）。このため、紐通し３１の近傍における靴紐４の曲がり具合は従来よりも緩やかであり、当該靴紐４の折り返し角度が緩やかなぶん、当該靴紐４を締めたり緩めたりする際の摩擦抵抗が小さくなっている。
【００２４】
上述のごとき紐通し３１に対し、靴紐４は図示するように通されている。すなわち、本実施形態の靴１において、靴紐４は、一つの紐折り返し部３を形成する複数の紐通し３１に順次通され、さらに、別の紐折り返し部３を形成する複数の紐通し３１に順次通されている（図２等参照）。
【００２５】
また、紐通し３１は、靴紐４の折り返し角度を緩やかにする方向に傾斜している。例えば上述のように互いに離間した２つの紐通し３１を一組として一つの紐折り返し部３を形成している本実施形態では、各紐通し３１を、互いに寄り添う方向に傾斜した状態でアッパー２に取り付けている（図２参照）。こうした場合、当該紐折り返し部３における靴紐４が円弧状またはこれに近似した形状で湾曲した状態となり、全体として折り返し角度が緩やかになる。
【００２６】
また、本実施形態では、複数で一つの紐折り返し部３を形成する紐通し３１を、靴本体２に対してハの字形（末広がり形）となるように配置している。靴紐４を締め上げる際のいわば支点として機能する各紐通し３１がこのようにハの字形に配置されている場合、靴紐４の摩擦抵抗を減らす角度と靴本体２側の支点となる角度とをそれぞれ効果的に実現することが可能となる。したがって、本実施形態の靴１においては、さらに効率よく靴紐４を締め上げることが可能である。
【００２７】
なお、紐通し３１のすべてが２つ一組で紐折り返し部３を形成している必要はない。例えば、複数の紐通し３１のうちアッパー２のつま先寄りに配置されるものは、紐締め上げ動作あるいは緩め動作時に靴紐４の動きが少ない箇所ということもあり、単一で紐折り返し部３を形成するものであってもよい（図１、図２参照）。
【００２８】
上述のごとき本実施形態の靴１は、靴先まで靴紐４が締めやすく、尚かつ締め付けた靴紐４を緩めやすいものとなる。すなわち、本実施形態の靴１は、紐折り返し部３が幅広であり、尚かつ靴全体として紐折り返し箇所が少ないことから、靴紐４の折り返し角度が緩やかとなり、そのぶん、靴紐４を締めたり緩めたりする際の摩擦抵抗が小さく、靴紐４を締めたり緩めたりしやすい。
【００２９】
また、本実施形態のような靴１を構成する場合、紐通し（結合部）３１の数を従来の靴より減らさず、靴紐４を締めたり緩めたりしやすくすることが可能である。仮に、靴通し３１の数を単純に減らしたとすれば、靴紐４を締めたり緩めたりしやすくすることが可能である反面、靴を履いた際の高いフィット感が損なわれてしまうおそれがある。この点、本実施形態では、紐通し３１の数を従来の靴から変える必要がないので、靴紐４で靴１を締め上げる際の支点は変わらない。要は、本実施形態の靴１によれば、フィット感を何ら損ねることなく、靴紐４の通し方と紐通し３１の角度を適切にすることで、靴先まで靴紐４がスムーズに締めやすく、脱ぐときも緩めやすくすることができる。したがって、本実施形態の靴１には、既存の靴の基本構造や製造工程を僅かに変更するだけで製造が可能であるという利点もある。
【００３０】
また、仮に、従来の靴において構造はそのままに紐通しへの靴紐の通し方（通す順場）を単純に変えたとしても、各靴通しは靴紐４の折り返し角度が緩やかとなるようには構成・配置されていないため、フィット感を損なうことなく靴紐の締めやすさと緩めやすさを向上させることは困難である。これに対し、本実施形態によれば、既存靴の基本構造等を僅かに変更するだけで、フィット感を損なうことなく靴紐４の締めやすさと緩めやすさを向上させることができる。
【００３１】
また、上述のごとき従来の靴においてはリングやコードロックなどを必要としている場合があるのに対し、本実施形態によれば、従来の結紐方式を踏襲しながらも摩擦抵抗を減らす仕組みを構築することができる。
【００３２】
なお、上述の実施形態は本発明の好適な実施の一例ではあるがこれに限定されるものではなく本発明の要旨を逸脱しない範囲において種々変形実施可能である。例えば上述した実施形態では、２つの紐通し３１を一組として一つの紐折り返し部３を形成したが、これは代表的な形態に過ぎず、３つの以上の紐通し３１で一つの紐折り返し部３を形成してもよい。
【００３３】
また、上述した実施形態では、アッパー２への取り付け角度を適宜異ならせた略同形状の複数の紐通し３１を例示したが、各紐通し３１の形状、太さ、長さあるいは模様や色など、さらには素材や材料、表面の質などを適宜異ならせるようにしてもよい。一例を示せば、紐通し３１は、靴紐４を挿通させるための上述したようなループ状の帯状部材（テープ）の他、フック状の紐ガイドであってもよいし、カーブした樹脂製パーツのようなものや、金属製のハトメのようなものであってもよい（図３参照）。
【００３４】
また、上述した実施形態では、アッパー２と靴紐４とを結合させる結合部が紐通し３１で形成されている形態を例示したが、当該結合部が、靴紐４の折り返し角度を緩やかにする紐ガイド３ａを備えていることも好ましい。例えば紐通し３１が上述のようなカーブした樹脂製パーツである場合、靴紐４の折り返し角度を緩やかにしている紐通し３１の湾曲部分や両端部などが紐ガイド３ａとして機能する（図３参照）。
【００３５】
なお、紐折り返し部３が単一の紐通し３１で形成されているかまたはそのように見える場合であっても、本明細書でいう結合部（アッパー２と靴紐４とを結合させる部位）が実質的に複数である場合は、本発明の一態様に含まれる。例えば、細長い単一の紐通し３１の一端で靴紐４の角度を緩やかに変え、他端では靴紐４をこれとは異なる角度に緩やかに変えているような場合などは、アッパー２と靴紐４とを結合させる結合部が実質的に複数あってこれらが紐折り返し部３を形成していると扱うことができる。
【産業上の利用可能性】
【００３６】
本発明は、山岳用靴や運動靴などをはじめとする、靴紐を締めたり緩めたりするあらゆる靴に適用して好適である。
【符号の説明】
【００３７】
１  靴、
２  アッパー
３  紐折り返し部
３ａ  紐ガイド
４  靴紐
３１  紐通し（結合部）
【図１】
0005523404.tif 000002
【図２】
0005523404.tif 000003
【図３】
0005523404.tif 000004
【図４】
0005523404.tif 000005